(57)【要約】【課題】  複数の外部入力端子を備えたＴＶモニターに於いて、外部入力端子に接続された各種ビデオ信号源が出力する音声信号は、アナログ信号の場合その振幅レベルが個々の機種によって異なる。このため、視聴者は入力信号を切り替えるたびに音量の調整操作を行わねばならず、煩わしいものであった。【解決手段】  本発明は、各入力端子毎に音量を記憶する手段を持たせ、音量調整操作が行われる度にその音量の記憶を更新する機能を持たせ、更には必ずしも記憶している音量がその時に相応しい値とは限らないので、入力端子の切り替え操作直後には一旦記憶している音量よりも若干小さい音量を出力し、その後徐々に記憶している音量に上げていく機能を持たせる。【選択図】  図１
2005244684.tif 000002
【特許請求の範囲】
【請求項１】
画像信号と音声信号の組み合わせから成る外部信号を入力する為の外部入力端子を複数組持ち、これを使用者の意思により切り替える入力切り替え手段を具備した画像表示装置であって、
各入力端子毎の出力音量設定値を記憶する音量記憶手段と、出力音量を変化させる音量可変手段とを具備し、
音量調整操作が成された場合にはその操作に応じて音量可変手段にて出力音量を変化させると共に、その音量可変手段への出力音量設定値をその時選択されている入力端子に対応した音量記憶手段に記憶し、
入力切り替え操作が成された場合には入力切り替え手段にて入力信号を選択するとともに、その時選択される入力端子に対応した音量記憶手段に記憶している出力音量設定値を音量可変手段に与えて出力音量を変化させる事を特徴とした画像表示装置。
【請求項２】
請求項１に記載の画像表示装置であって、
入力切り替え操作が成された場合にはその時選択される入力端子に対応した音量記憶手段に記憶している第１の出力音量設定値よりも所定の音量分低い第２の出力音量設定値を音量可変手段に与えて出力音量を抑え、
その後所定の時間経過してから第１の出力音量設定値を音量可変手段に与えて出力音量を変化させる事を特徴とした画像表示装置。
【請求項３】
請求項１に記載の画像表示装置であって、
入力切り替え操作が成された場合にはその時選択される入力端子に対応した音量記憶手段に記憶している第１の出力音量設定値よりも所定の音量分低い第２の出力音量設定値を音量可変手段に与えて出力音量を抑え、
その後所定の時間をかけて徐々に音量をアップさせ、最終的には第１の出力音量設定値に相当する出力音量に変化させる事を特徴とした画像表示装置。
【請求項４】
請求項２並びに３に記載の画像表示装置であって、
第２の出力音量設定値を音量可変手段に与えて出力音量を抑えてから後、第１の出力音量設定値に相当する出力音量に成るまでの期間に、
何らかの音量調整操作が成された場合にはその操作に応じた第３の出力音量設定値を音量可変手段に与えて出力音量を変化させる事を特徴とした画像表示装置。
【請求項５】
請求項４に記載の画像表示装置であって、
第３の出力音量設定値をその時選択されている入力端子に対応した音量記憶手段に記憶する事を特徴とした画像表示装置。
【請求項６】
請求項４に記載の画像表示装置であって、
第２の出力音量設定値を音量可変手段に与えて出力音量を抑えてから後、第１の出力音量設定値に相当する出力音量に成るまでの期間に成された音量調整操作に限って、音量記憶手段には記憶させない事を特徴とした画像表示装置。
【請求項７】
請求項１並びに２、３、４、５、６に記載の画像表示装置であって、
入力切り替え操作が成された際、その時選択される入力端子に対応した音量記憶手段に記憶している出力音量設定値を視覚的に表すＯＳＤ表示を行う事を特徴とした画像表示装置。
【請求項８】
請求項２並びに３、４、５、６に記載の画像表示装置であって、
第２の出力音量設定値を音量可変手段に与えて出力音量を抑えてから後、第１の出力音量設定値に相当する出力音量に成るまでの期間、
第１の出力音量設定値と第２の出力音量設定値の双方を視覚的に表すＯＳＤ表示を行う事を特徴とした画像表示装置。
【発明の詳細な説明】
【技術分野】
【０００１】
本発明はＴＶモニター等に於ける、外部入力信号に対する音量制御に関するものである。
【背景技術】
【０００２】
画像表示装置に音声再生機能も備えたＴＶモニターに於いて、ＶＴＲやＤＶＤ、ＣＳチューナー等、様々なビデオ信号源が接続され、これを切り替えて所望のビデオソースを視聴する。
【０００３】
しかしながら、これら接続される様々なビデオ信号源が出力する音声信号は、アナログ信号の場合その振幅レベルが個々の機種によって異なる。このため、視聴者は入力信号を切り替えるたびに音量の調整操作を行わねばならず、煩わしいものであった。又、例えば深夜に音量を絞って視聴している場合等には、なおさら入力信号切り替え時の音量の調整操作は必須であった。
【０００４】
これを解決する一方法として下記特許文献に示された様に、各入力端子毎に音量設定値を記憶させ、この設定音量とマスターボリュームとも呼ぶべき音量の２つのパラメータにて再生音量を決定するものがある。
【特許文献１】特開平０９−０３７１７４号公報
【発明の開示】
【発明が解決しようとする課題】
【０００５】
しかしながら、従来の方式では、個々の入力毎に初期設定を行う必要があり、その設定操作自体が煩わしいものであった。
【課題を解決するための手段】
【０００６】
本発明は、各入力端子毎の出力音量を記憶する手段を持たせ、音量調整操作が行われる度にその出力音量の記憶を更新する様にしたものである。又、更には視聴状況によっては必ずしも記憶している出力音量が相応しい値とは限らないので、入力端子の切り替え操作直後には一旦記憶している出力音量よりも若干小さい音量で出力し、その後に記憶している出力音量に上げて行き音量調整操作の機会を与えるものである。
【発明の効果】
【０００７】
本発明は、各入力端子毎に音量を記憶する手段を持たせ音量調整操作が行われる度にその音量の記憶を更新する事により、たとえ音声信号の振幅レベルが個々に異なる外部機器であったとしても、その入力信号を切り替えるたびに行わなければならない音量の調整操作を不要とし、
更には入力端子の切り替え操作時に一旦記憶している音量よりも若干小さい音量を出力しその後徐々に記憶している音量に上げていく事により、例えば深夜に音量を絞って視聴している場合等に於いても急激に過大な音量を出力させないで済む様にしたものである。
【発明を実施するための最良の形態】
【０００８】
（第１の実施例）
図１は本発明の説明に必要な部分のみを示した、ＴＶモニターの音声処理部の回路ブロック図であり、図中、１０、２０、３０、４０、は第１及び第２、第３、第４の音声入力端子、１１、２１、３１、４１、は第１及び第２、第３、第４の音声入力端子用バッファアンプ、６４は入力セレクタ、６５は音量設定回路、６８はパワーアンプ、６９はスピーカ、７０はシステム全体を制御するＣＰＵ、７１はユーザー操作ＳＷブロック、７２はＥ２ＰＲＯＭ等の不揮発性メモリである。
【０００９】
第１及び第２、第３、第４の音声入力端子１０、２０、３０、４０に入力された音声信号はバッファアンプ１１、２１、３１、４１を介して、入力セレクタ６４に入力される。入力セレクタ６４はこの内何れか１つを選択し、選択された音声信号は音量設定回路６５にてその振幅を制御された後パワーアンプ６８に入力され、スピーカ６９を駆動する。
【００１０】
操作者が操作ＳＷブロック７１に配置された入力切り替え操作ＳＷや音量操作用ＳＷを操作するとその操作内容をＣＰＵ７０が検知し、その操作内容に応じて入力セレクタ６４や音量設定回路６５を制御する。図２はその際のＣＰＵ７０の処理手順を示したフローチャートであり、図３及び図４はその時の音声出力レベルの推移を模式的にあらわしたものである。
【００１１】
例えば、入力切り替え操作ＳＷが操作された場合について説明する。図２のステップ７０２にて入力切り替え操作ＳＷが操作された事を検知し、ステップ７１４に進む。ここで先ず音量設定回路６５に対して音声出力をミュートする指示を出す。このミュートを開始する時点が図３の゛ｔ７１４″である。そして完全にミュートされた゛ｔ７１５″の時点であるステップ７１５にて入力セレクタ６４に対し入力切替指示を出し、次にステップ７１６にて切り替えた入力端子の出力音量として記憶している値をメモリ７２から読み出す。最後にステップ７１７にてこの読み出した音量値を音量設定回路６５に指示する。そしてステップ７０８にて所定の時間、（例えば１０ｍＳｅｃ．）経過するのを待ち、再度ステップ７０２に戻る。
【００１２】
次に、音量操作用ＳＷが操作された場合について説明する。先ずステップ７０３にて音量操作用ＳＷが操作された事を検知し、ステップ７２６にて新たな音量設定値をメモリ７２に書き込む。次にステップ７２７にて新たな音量設定値を音量設定回路６５に指示する。そしてやはりステップ７０８にて所定の時間、（例えば１０ｍＳｅｃ．）経過するのを待ち、再度ステップ７０２に戻る。この時の音量推移が図４に相当する。
【００１３】
尚、図１には音声信号処理部のみを抜き出しており、画像信号処理系等は示していない。そして入力切り替え操作ＳＷや音量操作用ＳＷを含む操作ＳＷブロック７１は、本体に配置されたものであっても、或いは赤外線リモコン等の様に本体とは別に操作系が具備されたものであっても構わない。
【００１４】
又、音声信号は各入力端子ごとに１つずつ４入力と成っているが、左右２チャンネル分もしくはそれ以上のものであっても本発明の趣旨に関わるものでは無く、そして入力系統数も４本に限定されるものでは無い事は言うまでも無い。
【００１５】
（第２の実施例）
図５は本発明の第２の実施例によるＴＶモニターの音声処理部の回路ブロック図であり、第１の実施例に於ける図１に示したブロック図と同等の機能を有する回路ブロックには同一の番号を割り当ててあり、１２、２２、３２、４２、は第１及び第２、第３、第４の音声入力端子用音量設定回路である。
【００１６】
第１の実施例との相違点は、各入力端子毎に音量設定回路１２、２２、３２、４２を具備した点にあり、電源投入時のイニシャライズ処理時に各音量設定回路１２、２２、３２、４２に対しメモリ７２に記憶してあった音量設定値を指示すれば良い。
【００１７】
又さらには、入力セレクタ６４が同時に２つを選択可能としこれをミックスして出力出来る回路としておけば、図６に示す様に切り替え時に音声をフェードイン／フェードアウトで切り替えることも可能である。
【００１８】
（第３の実施例）
図７は第３の実施例に於けるＴＶモニターの音声処理部の回路ブロック図であり、第１の実施例に於ける図１に示したブロック図と同等の機能を有する回路ブロックには同一の番号を割り当ててあり、１３、２３、３３、４３、は第１及び第２、第３、第４の音声入力端子用Ａ／Ｄコンバータ、１４、２４、３４、４４、は第１及び第２、第３、第４の音声入力端子用係数乗算回路、６６はマルチプレクサ、６７はＤ／Ａコンバータである。
【００１９】
この実施例の場合、各入力端子用バッファアンプ１１、２１、３１、４１からの音声信号出力をＡ／Ｄコンバータ１３、２３、３３、４３にて量子化し、乗算器１４、２４、３４、４４での係数乗算にて音量調整を行う様にし、これをマルチプレクサ６６にて選択する様にしたものである。この音量調整の為の係数やマルチプレクサ６６での選択は、第１、第２の実施例同様ＣＰＵ７０から制御する。
【００２０】
このＣＰＵ７０での音量調整ならびに切り替えに対する制御方法を図８のフローチャートに示す。ステップ７０２にて入力切替操作が成された事を検知した場合にはステップ７３５に進み、選択された入力端子に対する音量値を不揮発性メモリ７２から読み出す。そしてステップ７３６にてその値を音量目標設定値としてレジスタに保存するとともに、ステップ７３７にて乗算器１４、２４、３４、４４の何れか該当するものに音量設定としての乗算係数を伝える。但しその際、不揮発性メモリ７２から読み出されレジスタに保存した音量目標設定値よりも小さな値、たとえば−６ｄＢ相当或いは−１０ｄＢ相当の値を乗算係数として用いる。そして入力切り替え操作に伴う音量設定を終えた後、ステップ７０８にて所定の時間経過したらステップ７０２に戻る。
【００２１】
入力切り替え操作後２回目以降はステップ７０２からステップ７０３に進み、ここでレジスタに保存されている音量目標設定値と、実際に乗算器１４、２４、３４、４４の何れか該当するものに伝えられている音量設定値（＝乗算係数）を比較し、両者の値が異なればステップ７３８にて音量設定値を１大きい値に更新し、ステップ７０８に進む。この様にして入力切り替え操作後２回目以降は１０ｍＳｅｃおきに何回かステップ７３８を通過する事により、徐々に音量をあげて行き最終的に音量目標設定値と同じ音量設定値に成る。この時の出力音量の推移を図９に示す。同図に於いて、ｔ７３７は入力切り替え操作検知により音量を設定を行った時点を、ｔ７９５は出力音量設定値が音量目標設定値が等しく成り定常状態に達した時点を示す。
【００２２】
さて、この様に入力切り替え操作後徐々に音量を上げて行く最中、或いは定常状態に達した状態、何れの場合でも、音量調整操作が成された場合には、ステップ７０３にてそれを検知し、ステップ７２５〜７２７の処理を行う。ステップ７２５では音量調整操作に基づく音量値を不揮発性メモリ７２に格納し、ステップ７２６ではその値を音量目標設定値として更新し、ステップ７２７では実際に音量設定動作を行う。このステップ７２５〜７２７での処理の際には、音量目標設定値と音量設定値をセットするので、前述の入力切り替え操作後の様に徐々に音量を上げて行くステップ７３８へ行く事は無い。
【００２３】
つまり、入力切り替え操作が成された際には、その入力端子専用に記憶していた音量よりも若干小さめな音量に一旦変更し徐々に記憶していた値に戻すが、その途中何らかの音量調整操作が成された場合にはそちらを優先して直ちに音量を変更するとともに、その音量を該当入力端子の音量として記憶し、次回の入力選択に備える。又、入力切り替え操作を伴わずに音量調整操作が成された場合には直ちにその操作に応じた音量に変更するとともに、やはりその音量を該当入力端子の音量として記憶し、次回の入力選択に備える。
【００２４】
或いは、図９に於けるｔ７３７からｔ７９５の期間、つまり入力切り替えがなされた後定常状態に達するまでの期間に成された音量調整操作に対しては、その音量設定値をあえて記憶しない方法も考えられる。これはその時に限り音量を絞らざるを得ない状況による操作である可能性が高いからである。
【００２５】
尚、この実施例の場合、マルチプレクサ６６は単なる加算器に置き換え、選択しない入力端子の音声データは乗算器１４、２４、３４、４４にてミュートする事で代用する事も可能であり、或いは乗算器１４、２４、３４、４４を各入力端子ごとに用意するのでは無く、マルチプレクサ６６の後段に１つだけ配置するものでも同等の機能が実現出来る事は言うまでも無い。
【００２６】
（第４の実施例）
図１０は本発明の第４の実施例による音量調整ならびに切り替えに対する制御方法のフローチャートであり、この場合のハード構成は図１或いは図５、図７に示した第１、第２、第３の実施例に於ける回路ブロック図と同等である。但し、不図示のＯＳＤ（オン  スクリーン  ディスプレイ）機能と、ＣＰＵ７０上にタイマー機能を必要とする。
【００２７】
さて、何らかの入力切替操作が成された場合、やはりステップ７０２でこれを検知しステップ７５４に進む。ステップ７５４では先ずタイマーをスタートさせる。このタイマーは、例えば数秒間程度の、人間が何らかの操作を行えるだけの充分な時間を計測する。そして次のステップ７５５では選択された入力端子専用に記憶されている音量を不揮発性メモリ７２から読み出し、次にステップ７５６にて図１２に示す様なＯＳＤ表示を行う。
【００２８】
図１２に於いて、８０１は現在の音量を、８０２はこれから出力する音量を示す。ここで言う「現在の音量」とは不揮発性メモリ７２から読み出した音量よりも小さな値、たとえば−６ｄＢ相当或いは−１０ｄＢ相当の値であり、これは次ステップ７５７にて設定動作する音量である。そして「これから出力する音量」とは不揮発性メモリ７２から読み出した音量そのものである。
【００２９】
現在の音量８０１と、これから出力する音量８０２は、濃淡、或いは色を変える。枠のみを表示する、２列並べて表示する等、識別可能であれば特に限定されない。そしてステップ７５７では、図１のブロック図の場合では音量設定回路６５、図５のブロック図の場合では音量設定回路１２、２２、３２、４２の内該当する入力端子のもの、図７のブロック図の場合では乗算器１４、２４、３４、４４の内該当する入力端子のものに対し、音量設定操作を行う。そして他の実施例同様、ステップ７０８にて１０ｍＳｅｃ．経過するのを待ちステップ７０２に戻る。
【００３０】
入力切り替え操作後２回目以降はステップ７０２からステップ７０３に進み、音量調整操作が成された場合にはこれを検知し、ステップ７６４〜７６７の処理を行う。ステップ７６４ではステップ７５４と同様のタイマーをスタートさせ、ステップ７６５では音量調整操作に基づく音量値を不揮発性メモリ７２に格納し、ステップ７６６では図１３に示す様なＯＳＤ表示を行う。この時のＯＳＤは単純に操作成された結果の音量であり、その音量を出力させる処理を次ステップ７６７にて行う。
【００３１】
ステップ７０３にて音量調整操作が成されていない時はステップ７０６に進み、ステップ７５４或いはステップ７６４にてスタートさせたタイマーをチェックする。もしここでそのタイマー計測が終えていればステップ７７５〜７７７の処理を行う。ステップ７７５では選択されている入力端子専用に記憶されている音量を不揮発性メモリ７２から読み出し、ステップ７７６ではＯＳＤ表示を取り消し、ステップ７７７ではステップ７７５にて読み出した音量を出力すべく指示を出す。この時の出力音量の推移を図１１に示す。同図に於いて、ｔ７５７は入力切り替え操作を検知し新たな音量設定を行った時点を、ｔ７７７はタイマー計測を終え記憶していた音量を出力する時点を示す。
【００３２】
以上をまとめると、入力切替操作が成された際には、その入力端子専用に記憶していた音量よりも若干小さめな音量に一旦変更しその旨を一定期間ＯＳＤ表示する。そのＯＳＤ表示期間が終了すれば記憶していた音量に設定し直すが、その期間中何らかの音量調整操作が成された場合にはそちらを優先して直ちに出力音量を変更するとともに、その音量を該当入力端子の音量として記憶し、次回の入力選択に備える。或いは、第３の実施例同様、ＯＳＤ表示期間内、つまり図１１に於けるｔ７３７からｔ７７７までの期間に成された音量調整操作に対してのみ、出力音量の変更だけを行い記憶する処理は行わないとする方法も考えられる。
【００３３】
又、入力切り替え操作を伴わずに音量調整操作が成された場合には直ちにその操作に応じた音量に切り替え、一定の期間それをＯＳＤ表示するとともに、やはりその音量を該当入力端子の音量として記憶し、次回の入力選択に備える。
【図面の簡単な説明】
【００３４】
【図１】第１の実施例による音声信号処理回路部の機能ブロック図
【図２】第１の実施例による音声信号制御のフローチャート
【図３】第１の実施例による音声信号レベル推移図
【図４】第１の実施例による音声信号レベル推移図
【図５】第２の実施例による音声信号処理回路部の機能ブロック図
【図６】第２の実施例による音声信号レベル推移図
【図７】第３の実施例による音声信号処理回路部の機能ブロック図
【図８】第３の実施例による音声信号制御のフローチャート
【図９】第３の実施例による音声信号レベル推移図
【図１０】第４の実施例による音声信号制御のフローチャート
【図１１】第４の実施例による音声信号レベル推移図
【図１２】第４の実施例によるＯＳＤ表示例
【図１３】第４の実施例によるＯＳＤ表示例
【符号の説明】
【００３５】
１０、２０、３０、４０  音声外部入力端子
６４、６６  音声入力切り替え手段
１４、２４、３４、４４、６５  音量可変手段
７２  入力端子毎の音量記憶手段
【図１】
2005244684.tif 000003
【図２】
2005244684.tif 000004
【図３】
2005244684.tif 000005
【図４】
2005244684.tif 000006
【図５】
2005244684.tif 000007
【図６】
2005244684.tif 000008
【図７】
2005244684.tif 000009
【図８】
2005244684.tif 000010
【図９】
2005244684.tif 000011
【図１０】
2005244684.tif 000012
【図１１】
2005244684.tif 000013
【図１２】
2005244684.tif 000014
【図１３】
2005244684.tif 000015